(57)【要約】【課題】メインユーザーが視認するＯＳＤ画像を、ゲストユーザーに視認させないことができる画像表示装置を提供する。【解決手段】周期的に開閉させて光の透過率を切り換える左眼用および右眼用のシャッター（２６０Ｌ，２６０Ｒ，３６０Ｌ，３６０Ｒ）を有する第１のシャッターメガネ２００と第２のシャッターメガネ３００とともに用いられる画像表示装置（プロジェクター１００）であって、供給される画像情報に基づいた左眼用画像および右眼用画像を含む画像を周期的に表示し、さらに、左眼用画像および右眼用画像の少なくとも一方に付加画像を付加表示する表示部と、表示部が周期的に表示する画像に付加画像を付加表示するときに、第１のシャッターメガネ２００より第２のシャッターメガネ３００のシャッターの光の透過率を低くさせる制御信号を、第１のシャッターメガネ２００と第２のシャッターメガネ３００とに伝達する制御信号伝達部と、を有する。【選択図】図１
2013239945.tif 000002
【特許請求の範囲】
【請求項１】
周期的に開閉させて光の透過率を切り換える左眼用および右眼用のシャッターを有する第１のシャッターメガネと第２のシャッターメガネとともに用いられる画像表示装置であって、
供給される画像情報に基づいた左眼用画像および右眼用画像を含む画像を周期的に表示し、さらに、前記左眼用画像および前記右眼用画像の少なくとも一方に付加画像を付加表示する表示部と、
前記表示部が周期的に表示する前記画像に前記付加画像を付加表示するときに、前記第１のシャッターメガネより前記第２のシャッターメガネのシャッターの光の透過率を低くさせる制御信号を、前記第１のシャッターメガネと前記第２のシャッターメガネとに伝達する制御信号伝達部と、
を有することを特徴とする画像表示装置。
【請求項２】
請求項１に記載の画像表示装置であって、
前記表示部は、前記付加画像を前記左眼用画像および前記右眼用画像の双方に付加表示することを特徴とする画像表示装置。
【請求項３】
請求項２に記載の画像表示装置であって、
前記表示部は、前記左眼用画像および前記右眼用画像の一方に前記付加画像を付加表示し、さらに、直後の他方の画像に前記付加画像を付加表示することを特徴とする画像表示装置。
【請求項４】
請求項２に記載の画像表示装置であって、
前記表示部は、前記左眼用画像および前記右眼用画像の一方に前記付加画像を付加表示し、所定回数の前記左眼用画像および前記右眼用画像を表示した後、他方の画像に前記付加画像を付加表示することを特徴とする画像表示装置。
【請求項５】
請求項１に記載の画像表示装置であって、
前記表示部は、表示する画像フレームの数に対して、半分未満の割合で、前記付加画像を付加表示することを特徴とする画像表示装置。
【請求項６】
請求項１に記載の画像表示装置であって、
前記表示部は、表示する画像フレームの数に対して、１／６以下の割合で、前記付加画像を付加表示することを特徴とする画像表示装置。
【請求項７】
請求項１に記載の画像表示装置であって、
前記付加画像は、前記画像表示装置の機能の設定を行うためのメニュー画像であることを特徴とする画像表示装置。
【請求項８】
周期的に開閉させて光の透過率を切り換える左眼用および右眼用のシャッターを有する第１のシャッターメガネと第２のシャッターメガネとともに用いられる画像表示装置の制御方法であって、
供給される画像情報に基づいた左眼用画像および右眼用画像を含む画像を周期的に表示し、さらに、前記左眼用画像および前記右眼用画像の少なくとも一方に付加画像を付加表示する表示ステップと、
前記表示ステップによって、周期的に表示する前記画像に前記付加画像を付加表示するときに、前記第１のシャッターメガネより前記第２のシャッターメガネのシャッターの光の透過率を低くさせる制御信号を、前記第１のシャッターメガネと前記第２のシャッターメガネとに伝達する制御信号伝達ステップと、
を有することを特徴とする画像表示装置の制御方法。
【請求項９】
周期的に開閉させて光の透過率を切り換える左眼用および右眼用のシャッターを有する第１のシャッターメガネと、
周期的に開閉させて光の透過率を切り換える左眼用および右眼用のシャッターを有する第２のシャッターメガネと、
供給される画像情報に基づいた左眼用画像および右眼用画像を含む画像を周期的に表示する表示部を有する画像表示装置と、
を備える画像表示システムであって、
前記画像表示装置の前記表示部は、前記左眼用画像および前記右眼用画像の少なくとも一方に付加画像を付加表示可能とし、
前記表示部が周期的に表示する前記画像に前記付加画像を付加表示するときに、前記第１のシャッターメガネより前記第２のシャッターメガネのシャッターの光の透過率を低くさせるシャッター制御部を有することを特徴とする画像表示システム。
【請求項１０】
周期的に開閉させて光の透過率を切り換える左眼用および右眼用のシャッターを有するシャッターメガネと、
供給される画像情報に基づいた左眼用画像および右眼用画像を含む画像を周期的に表示する表示部を有する画像表示装置と、
を備える画像表示システムであって、
前記画像表示装置の前記表示部は、前記左眼用画像および前記右眼用画像の少なくとも一方に付加画像を付加表示可能とし、
前記シャッターメガネは、第１の設定と第２の設定を有し、
前記表示部が周期的に表示する前記画像に前記付加画像を付加表示するときに、前記シャッターメガネが前記第１の設定のときより前記シャッターメガネが前記第２の設定のときのシャッターの光の透過率を低くさせるシャッター制御部を有することを特徴とする画像表示システム。
【発明の詳細な説明】
【技術分野】
【０００１】
本発明は、画像表示装置、画像表示装置の制御方法、および画像表示システムに関する。
【背景技術】
【０００２】
従来、１つの画面に時分割で複数の画像を表示させ、画像の変化に同期して開閉する複数のシャッターメガネを用いることで、複数の鑑賞者が複数の画像をそれぞれ分離して視認可能な技術が知られている（特許文献１）。また、この技術を利用して、左右の眼に相当する視差画像を表示することで鑑賞者が立体像（３Ｄ画像）を視認可能な技術が知られている（特許文献２）。
【先行技術文献】
【特許文献】
【０００３】
【特許文献１】特開平９−１０１７４９号公報
【特許文献２】特開昭６１−２２７４９８号公報
【発明の概要】
【発明が解決しようとする課題】
【０００４】
近年、上述したような技術を用いた画像表示装置を用いて、３Ｄ画像コンテンツを複数人で鑑賞する場面が増えている。しかしながら、画像表示装置が表示する内容によっては、必ずしも全ての鑑賞者で共有すべき情報でない場合もある。例えば、画像表示装置を操作しているメインユーザーが、画像表示装置のメニューを開いて画質の調整等を行っている際には、そのメニューや調整画面をその他の鑑賞者（ゲストユーザー）に見せたくない場合がある。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、周期的に開閉させて光の透過率を切り換える左眼用および右眼用のシャッターを有する第１のシャッターメガネと第２のシャッターメガネとともに用いられる画像表示装置であって、供給される画像情報に基づいた左眼用画像および右眼用画像を含む画像を周期的に表示し、さらに、前記左眼用画像および前記右眼用画像の少なくとも一方に付加画像を付加表示する表示部と、前記表示部が周期的に表示する前記画像に前記付加画像を付加表示するときに、前記第１のシャッターメガネより前記第２のシャッターメガネのシャッターの光の透過率を低くさせる制御信号を、前記第１のシャッターメガネと前記第２のシャッターメガネとに伝達する制御信号伝達部と、を有することを特徴とする。
【０００７】
このような画像表示装置によれば、表示部は、左眼用画像および右眼用画像を周期的に表示し、さらに少なくとも一方に付加画像を表示する。制御信号伝達部は、周期的に表示する画像に付加画像を付加表示するときに、第１のシャッターメガネより第２のシャッターメガネのシャッターの光の透過率を低くさせる制御信号を第１のシャッターメガネと第２のシャッターメガネとに伝達する。これにより、付加画像を表示するときには、第２のシャッターメガネの光の透過率を低くさせることが可能になる。よって、第１のシャッターメガネを装着しているユーザーには、付加画像を視認させ、第２のシャッターメガネを装着しているユーザーには、付加画像を視認させない、或いは視認を困難にさせることが可能となる。
【０００８】
［適用例２］上記適用例に係る画像表示装置において、前記表示部は、前記付加画像を前記左眼用画像および前記右眼用画像の双方に付加表示することを特徴とする。
【０００９】
このような画像表示装置によれば、付加画像は左眼用画像および右眼用画像の双方に付加表示されるため、第１のシャッターメガネを装着して付加画像を視認するユーザーは、左眼および右眼で付加画像を視認することができる。よって、第１のシャッターメガネを装着したユーザーに与える違和感を低減することができる。また、第２のシャッターメガネを装着して、付加画像が表示されている期間、画像を視認できないユーザーに与える違和感も低減することができる。
【００１０】
［適用例３］上記適用例に係る画像表示装置において、前記表示部は、前記左眼用画像および前記右眼用画像の一方に前記付加画像を付加表示し、さらに、直後の他方の画像に前記付加画像を付加表示することを特徴とする。
【００１１】
このような画像表示装置によれば、付加画像は左眼用画像と右眼用画像とに連続して付加表示される。これにより、第１のシャッターメガネを装着して付加画像を視認するユーザーに与える違和感を低減することができる。
【００１２】
［適用例４］上記適用例に係る画像表示装置において、前記表示部は、前記左眼用画像および前記右眼用画像の一方で前記付加画像を付加表示し、所定回数の前記左眼用画像および前記右眼用画像を表示した後、他方の画像で前記付加画像を付加表示することを特徴とする。
【００１３】
このような画像表示装置によれば、左眼用画像および右眼用画像の一方で付加画像を付加表示し、所定回数の左眼用画像および右眼用画像を表示した後、他方の画像で付加画像を付加表示する。これにより、第２のシャッターメガネを装着して、付加画像が表示されている期間、画像を視認できないユーザーに与える違和感を低減することができる。即ちフリッカーの認知を抑えることができる。
【００１４】
［適用例５］上記適用例に係る画像表示装置において、前記表示部は、表示する画像フレームの数に対して、半分未満の割合で、前記付加画像を付加表示することを特徴とする。
【００１５】
このような画像表示装置によれば、画像フレームの数の半分未満の割合で、付加画像を付加表示する。これにより、第２のシャッターメガネを装着して、付加画像が表示されている期間、画像を視認できないユーザーに与える違和感を低減することができる。即ちフリッカーの認知を抑えることができる。
【００１６】
［適用例６］上記適用例に係る画像表示装置において、前記表示部は、表示する画像フレームの数に対して、１／６以下の割合で、前記付加画像を付加表示することを特徴とする。
【００１７】
このような画像表示装置によれば、画像フレームの数の１／６以下の割合で、付加画像を付加表示する。これにより、第２のシャッターメガネを装着して、付加画像が表示されている期間、画像を視認できないユーザーに与える違和感を低減することができる。即ちフリッカーの認知を抑えることができる。
【００１８】
［適用例７］上記適用例に係る画像表示装置において、前記付加画像は、前記画像表示装置の機能の設定を行うためのメニュー画像であることを特徴とする。
【００１９】
このような画像表示装置によれば、付加画像は、画像表示装置のメニュー画像である。これにより、第１のシャッターメガネを装着しているユーザーには、メニュー画像を視認させ、第２のシャッターメガネを装着しているユーザーは、メニュー画像を視認させないようにすることが可能となる。
【００２０】
［適用例８］本適用例に係る画像表示装置の制御方法は、周期的に開閉させて光の透過率を切り換える左眼用および右眼用のシャッターを有する第１のシャッターメガネと第２のシャッターメガネとともに用いられる画像表示装置の制御方法であって、供給される画像情報に基づいた左眼用画像および右眼用画像を含む画像を周期的に表示し、さらに、前記左眼用画像および前記右眼用画像の少なくとも一方に付加画像を付加表示する表示ステップと、前記表示ステップによって、周期的に表示する前記画像に前記付加画像を付加表示するときに、前記第１のシャッターメガネより前記第２のシャッターメガネのシャッターの光の透過率を低くさせる制御信号を、前記第１のシャッターメガネと前記第２のシャッターメガネとに伝達する制御信号伝達ステップと、を有することを特徴とする。
【００２１】
このような画像表示装置の制御方法によれば、付加画像を表示するときには、第２のシャッターメガネの光の透過率を低くさせることが可能になる。よって、第１のシャッターメガネを装着しているユーザーには、付加画像を視認させ、第２のシャッターメガネを装着しているユーザーには、付加画像を視認させない、或いは視認を困難にさせることが可能となる。
【００２２】
［適用例９］本適用例に係る画像表示システムは、周期的に開閉させて光の透過率を切り換える左眼用および右眼用のシャッターを有する第１のシャッターメガネと、周期的に開閉させて光の透過率を切り換える左眼用および右眼用のシャッターを有する第２のシャッターメガネと、供給される画像情報に基づいた左眼用画像および右眼用画像を含む画像を周期的に表示する表示部を有する画像表示装置と、を備える画像表示システムであって、前記画像表示装置の前記表示部は、前記左眼用画像および前記右眼用画像の少なくとも一方に付加画像を付加表示可能とし、前記表示部が周期的に表示する前記画像に前記付加画像を付加表示するときに、前記第１のシャッターメガネより前記第２のシャッターメガネのシャッターの光の透過率を低くさせるシャッター制御部を有することを特徴とする。
【００２３】
このような画像表示システムによれば、付加画像を表示するときには、第２のシャッターメガネの光の透過率を低くさせることが可能になる。よって、第１のシャッターメガネを装着しているユーザーには、付加画像を視認させ、第２のシャッターメガネを装着しているユーザーには、付加画像を視認させない、或いは視認を困難にさせることが可能となる。
【００２４】
［適用例１０］本適用例に係る画像表示システムは、周期的に開閉させて光の透過率を切り換える左眼用および右眼用のシャッターを有するシャッターメガネと、供給される画像情報に基づいた左眼用画像および右眼用画像を含む画像を周期的に表示する表示部を有する画像表示装置と、を備える画像表示システムであって、前記画像表示装置の前記表示部は、前記左眼用画像および前記右眼用画像の少なくとも一方に付加画像を付加表示可能とし、前記シャッターメガネは、第１の設定と第２の設定を有し、前記表示部が周期的に表示する前記画像に前記付加画像を付加表示するときに、前記シャッターメガネが前記第１の設定のときより前記シャッターメガネが前記第２の設定のときのシャッターの光の透過率を低くさせるシャッター制御部を有することを特徴とする。
【００２５】
このような画像表示システムによれば、付加画像を表示するときに、シャッターメガネが第１の設定のときよりシャッターメガネが第２の設定のときのシャッターの光の透過率を低くさせる。よって、シャッターメガネが第１の設定のときには、シャッターメガネを装着しているユーザーは、付加画像を視認することができ、シャッターメガネが第２の設定のときには、シャッターメガネを装着しているユーザーは、付加画像を視認できない、或いは視認を困難にすることができる。
【００２６】
また、上述した画像表示装置、画像表示装置の制御方法および画像表示システムが、画像表示装置、シャッターメガネに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、画像表示装置の内部記憶装置（ＲＡＭ（Random Access Memory）やＲＯＭ（Read Only Memory）等の半導体メモリー）、および外部記憶装置（ＵＳＢメモリー等）等、前記コンピューターが読み取り可能な種々の媒体を利用することができる。
【図面の簡単な説明】
【００２７】
【図１】実施形態に係る画像表示システムの概略構成を示す斜視図。
【図２】プロジェクターの内部構成を示すブロック図。
【図３】第１の液晶シャッターメガネおよび第２の液晶シャッターメガネの内部構成を示すブロック図。
【図４】画像表示システムの動作を説明するためのタイミングチャート。
【図５】プロジェクターが表示する画像の説明図であり、（ａ）は、通常画像の説明図、（ｂ）は、ＯＳＤ画像を重畳した画像の説明図。
【図６】プロジェクターが画像フレームを切り替える際に行う判断処理のフローチャート。
【図７】第１の液晶シャッターメガネおよび第２の液晶シャッターメガネの処理のフローチャート。
【図８】第１のパターンでＯＳＤ画像を表示させる場合の画像表示システムの動作を説明するためのタイミングチャート。
【図９】第２のパターンでＯＳＤ画像を表示させる場合の画像表示システムの動作を説明するためのタイミングチャート。
【発明を実施するための形態】
【００２８】
以下、実施形態として、光源から射出された光を画像情報に基づいて変調して光学像を形成し、この光学像を外部のスクリーン等に投写する画像表示装置としてのプロジェクターと、第１のシャッターメガネとしての第１の液晶シャッターメガネ、および第２のシャッターメガネとしての第２の液晶シャッターメガネと、を有する画像表示システムについて説明する。
【００２９】
（実施形態）
図１は、本実施形態に係る画像表示システムの概略構成を示す斜視図である。
図１に示すように、画像表示システム１は、両眼視差を利用して鑑賞者に立体像を認識させるシステムであり、プロジェクター１００と、第１の液晶シャッターメガネ２００と、第２の液晶シャッターメガネ３００とを備えて構成されている。
【００３０】
プロジェクター１００は、装置本体（後述する画像投写部１０等）を収容する筐体５を備えて構成されており、筐体５の天面５ｔには、ユーザーにより入力操作が行われる操作受付部２１が配置されている。筐体５の背面５ｂには、複数の入力端子を備えた画像情報入力部３０が設けられており、画像情報入力部３０には、外部の画像供給装置（図示省略）から画像情報が入力される。ここでは図示しないが、筐体５の前面には、投写レンズが露出されており、この投写レンズから、画像情報に基づく画像が前方の投写面（例えば、スクリーン）ＳＣに投写される。
【００３１】
画像情報入力部３０には、左眼用の画像を表す左眼用の画像情報と、右眼用の画像を表す右眼用の画像情報とが入力され、プロジェクター１００は、左眼用の画像と右眼用の画像とをフレーム単位で時分割して投写面ＳＣ上に交互に投写（表示）する。また、プロジェクター１００は、左眼用の画像と右眼用の画像との切り替えに同期するための赤外線の制御信号を送信する赤外線送信部５０を備えている。本実施形態では、筐体５の背面５ｂに赤外線送信部５０を備えて構成される。
【００３２】
第１の液晶シャッターメガネ２００および第２の液晶シャッターメガネ３００は、プロジェクター１００が投写する画像を鑑賞する鑑賞者に装着されるものであり、鑑賞者の左眼に対峙する左眼用の液晶シャッター２６０Ｌ（３６０Ｌ）と、右眼に対峙する右眼用の液晶シャッター２６０Ｒ（３６０Ｒ）とを備えている。また、図示しないが、第１の液晶シャッターメガネ２００および第２の液晶シャッターメガネ３００の前面には、プロジェクター１００から送信される赤外線の同期信号を受信するための赤外線受信部が設けられている。第１の液晶シャッターメガネ２００および第２の液晶シャッターメガネ３００は、左眼用の画像が鑑賞者の左眼のみで認識され、右眼用の画像が鑑賞者の右眼のみで認識されるよう、制御信号に同期して左右の液晶シャッター２６０Ｌ（３６０Ｌ），２６０Ｒ（３６０Ｒ）を開放させる。
【００３３】
また、第１の液晶シャッターメガネ２００および第２の液晶シャッターメガネ３００の側面（つるの部分）には、液晶シャッターメガネを、メインユーザーが使用するためのメイン状態とするか、ゲストユーザーが使用するためのゲスト状態とするかを切り替えるゲスト設定スイッチ２５０（３５０）を備えている。
【００３４】
図２は、本実施形態に係るプロジェクター１００の内部構成を示すブロック図である。
図２に示すように、プロジェクター１００は、画像投写部１０、制御部２０、操作受付部２１、画像情報入力部３０、画像情報判定部３１、画像処理部３２、ＯＳＤ処理部３３、赤外線送信部５０等を備えている。
【００３５】
画像投写部１０は、光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、光源装置１１から射出された光を液晶ライトバルブ１２Ｒ，１２Ｇ，１２Ｂで変調して画像（画像光）を形成する。そして、形成した画像を、投写レンズ１３から前方、即ち筐体５の前面に略垂直な方向に向けて拡大投写して、投写面ＳＣ等に表示する。
【００３６】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３７】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。そして、液晶駆動部１４の駆動により、入力される画像情報に応じた駆動電圧が各画素に印加されると、各画素は、画像情報に応じた光透過率に設定される。このため、光源装置１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像となった後、投写レンズ１３から拡大投写される。
【００３８】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１００の動作を統括制御する。つまり、制御部２０は、コンピューターとして機能する。
【００３９】
操作受付部２１は、ユーザーの入力操作を受け付けるものであり、ユーザーがプロジェクター１００に対して各種指示を行うための複数の操作キーを備えている。本実施形態の操作受付部２１が備える操作キーとしては、電源のオン・オフを切り替えるための電源キー、各種設定用のメニュー画像を表示させるメニューキー、メニュー画像における項目の選択等に用いられる方向キー、選択した項目を確定させるための決定キー等がある。ユーザーが操作受付部２１の各種操作キーを操作すると、操作受付部２１は、この入力操作を受け付けて、ユーザーの操作内容に応じた操作信号を制御部２０に出力する。なお、操作受付部２１として、遠隔操作が可能なリモコン（図示せず）を用いた構成としてもよい。この場合、リモコンは、ユーザーの操作内容に応じた赤外線等の操作信号を発信し、図示しない受信手段がこれを受信して制御部２０に伝達する。
【００４０】
画像情報入力部３０には、パーソナルコンピューターや各種映像再生装置等、図示しない外部の画像供給装置から、左眼用および右眼用の画像情報が入力される。そして、画像情報入力部３０は、入力された画像情報を画像情報判定部３１に出力する。
【００４１】
画像情報判定部３１は、画像情報入力部３０から入力される画像情報を解析し、３Ｄの画像情報（３次元の画像情報、即ち左眼用の画像情報および右眼用の画像情報を有する画像情報）か、２Ｄの画像情報（２次元の画像情報）か、を判定して、制御部２０に通知する。さらに、画像情報判定部３１は、画像情報を画像処理部３２で処理可能な形式の画像情報に変換して、画像処理部３２に出力する。
【００４２】
画像処理部３２は、画像情報判定部３１から入力される左眼用および右眼用の画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。また、画像処理部３２は、制御部２０の指示に基づき、変換した画像情報に対して、明るさやコントラスト等を調整するための画質調整処理等を必要に応じて行う。
【００４３】
画像処理部３２は、画像情報を一時的に記憶する画像メモリー（図示省略）を備えており、左眼用および右眼用の画像情報は、各種処理が施された後、フレーム単位で画像メモリーに記憶される。そして、画像処理部３２は、制御部２０からの指示に基づいて、画像メモリーに記憶されている左眼用および右眼用の画像情報を１フレームずつ交互にＯＳＤ処理部３３に出力する。
【００４４】
ＯＳＤ処理部３３は、制御部２０の指示に基づいて、入力された画像情報に基づく画像フレーム上に、付加画像としてメニュー画像やメッセージ画像等のＯＳＤ（オンスクリーンディスプレイ）画像を重畳して表示するための処理を行う。本実施形態では、ＯＳＤ処理部３３は、制御部２０の指示に基づいて、左眼用の画像フレームおよび右眼用の画像フレームの双方にＯＳＤ画像を重畳する。ＯＳＤ処理部３３は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３３は、必要なＯＳＤ画像情報をＯＳＤメモリーから読み出し、画像フレーム上の所定の位置にＯＳＤ画像が重畳されるように、画像処理部３２から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３３は、画像処理部３２から入力される画像情報を、そのまま液晶駆動部１４に出力する。
【００４５】
液晶駆動部１４が、ＯＳＤ処理部３３から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。この結果、投写面ＳＣには、左眼用の画像と右眼用の画像がフレーム単位で交互に表示される。このときの画像処理部３２、ＯＳＤ処理部３３、および画像投写部１０が表示部に相当する。
【００４６】
赤外線送信部５０は、赤外線通信用のエンコーダーや赤外線発光装置（いずれも図示せず）等で構成され、制御部２０から入力される制御信号の情報をエンコーダーで変調し、赤外線発光装置により赤外線の点滅信号として外部に送信する。本実施形態では、赤外線送信部５０は、プロジェクター１００に内蔵するものとしているが、プロジェクター１００にケーブル等で外付けされる外部装置の態様としてもよい。
【００４７】
図３は、第１の液晶シャッターメガネ２００および第２の液晶シャッターメガネ３００の内部構成を示すブロック図である。
第１の液晶シャッターメガネ２００および第２の液晶シャッターメガネ３００は同様な構成である。図３に示すように、第１の液晶シャッターメガネ２００および第２の液晶シャッターメガネ３００は、上述した液晶シャッター２６０Ｌ（３６０Ｌ）、２６０Ｒ（３６０Ｒ）に加えて、赤外線受信部２１０（３１０）と、制御部２２０（３２０）と、シャッター駆動部２３０（３３０）と、シャッター閉継続フラグ２４０（３４０）と、ゲスト設定スイッチ２５０（３５０）とを有している。
【００４８】
赤外線受信部２１０（３１０）は、赤外線受信モジュール等を有して構成され、プロジェクター１００から発せられた赤外線信号である制御信号を受信し、制御部２２０（３２０）に通知する。制御信号の種類としては、左眼用の液晶シャッター２６０Ｌ（３６０Ｌ）を開放させるための「Ｌ−ＯＰ」信号、左眼用の液晶シャッター２６０Ｌ（３６０Ｌ）を閉塞させるための「Ｌ−ＣＬ」信号、右眼用の液晶シャッター２６０Ｒ（３６０Ｒ）を開放させるための「Ｒ−ＯＰ」信号、右眼用の液晶シャッター２６０Ｒ（３６０Ｒ）を閉塞させるための「Ｒ−ＣＬ」信号、さらに、「Ｌ−ＯＰ」信号や「Ｒ−ＯＰ」信号を受信しても、液晶シャッターを開放させないための「ＣＬＣ」信号等がある。
【００４９】
制御部２２０（３２０）は、受信した制御信号に基づいて、液晶シャッター２６０Ｌ（３６０Ｌ）、２６０Ｒ（３６０Ｒ）の開閉を制御するための制御情報を生成し、シャッター駆動部２３０（３３０）に出力する。また、制御部２２０（３２０）は、ゲスト設定スイッチ２５０（３５０）の設定状態（「メイン状態（オフ）」または「ゲスト状態（オン）」）を読み込む。さらに、制御部２２０（３２０）は、シャッター閉継続フラグ２４０（３４０）にアクセスしてシャッター閉継続フラグ２４０（３４０）を立てたり、クリアしたり、参照したりする。
【００５０】
シャッター駆動部２３０（３３０）は、入力される制御情報に基づいて液晶シャッター２６０Ｌ（３６０Ｌ），２６０Ｒ（３６０Ｒ）の開閉（開放および閉塞）を駆動する。
【００５１】
液晶シャッター２６０Ｌ（３６０Ｌ），２６０Ｒ（３６０Ｒ）は、それぞれ液晶パネルの表裏両側に偏光板が貼り付けられた構成を有している。液晶シャッター２６０Ｌ（３６０Ｌ）は、シャッター駆動部２３０（３３０）の駆動により、左眼に入射する光を透過させる開放状態と、左眼に入射する光を遮蔽する閉塞状態とを切り替え、液晶シャッター２６０Ｒ（３６０Ｒ）は、シャッター駆動部２３０（３３０）の駆動により、右眼に入射する光を透過させる開放状態と、右眼に入射する光を遮蔽する閉塞状態とを切り替える。
【００５２】
シャッター閉継続フラグ２４０（３４０）は、第１の液晶シャッターメガネ２００または第２の液晶シャッターメガネ３００がシャッター開信号（「Ｌ−ＯＰ」または「Ｒ−ＯＰ」）を受信した際に、液晶シャッター２６０Ｌ、３６０Ｌ、２６０Ｒまたは３６０Ｒを、開放するか閉塞状態を継続するかを判断するためのフラグである。シャッター閉継続フラグ２４０（３４０）は、メモリーによって構成されている。シャッター閉継続フラグ２４０（３４０）は、制御部２２０（３２０）によって設定され、制御部２２０（３２０）によってクリアされる。制御部２２０（３２０）は、シャッター閉継続フラグ２４０（３４０）が立っている場合には、制御部２２０（３２０）は、液晶シャッターを開放させない（即ち閉塞状態を継続する）。
【００５３】
ゲスト設定スイッチ２５０（３５０）は、ユーザーが第１の液晶シャッターメガネ２００および第２の液晶シャッターメガネ３００を「メイン状態」にするか「ゲスト状態」にするかの指示を行うためのスイッチである。本実施形態では、スイッチがオフの場合は「メイン状態」とし、オンの場合は「ゲスト状態」とする。ゲスト設定スイッチ２５０（３５０）の設定状態は、制御部２２０（３２０）によって読み出される。本実施形態では、第１の液晶シャッターメガネ２００はオフに設定されているものとし、第２の液晶シャッターメガネ３００はオンに設定されているものとする。
【００５４】
画像表示システム１は、上記のように構成されており、プロジェクター１００の画像処理部３２が、左眼用の画像の表示と右眼用の画像の表示とを切り替える。そして、第１の液晶シャッターメガネ２００および第２の液晶シャッターメガネ３００が、プロジェクター１００から送信される制御信号に基づいて、開放する液晶シャッター２６０Ｌ，２６０Ｒ，３６０Ｌ，３６０Ｒを切り替えることにより、左眼用の画像を左眼のみに認識させ、右眼用の画像を右眼のみに認識させることができる。
【００５５】
ここで、３Ｄ画像を表示する際の画像表示システム１のプロジェクター１００、第１の液晶シャッターメガネ２００および第２の液晶シャッターメガネ３００の動作について説明する。
図４は、画像表示システム１の動作を説明するためのタイミングチャートである。
【００５６】
図４のタイミングチャートでは、プロジェクター１００が表示する表示画像と、プロジェクター１００が出力する制御信号と、第１の液晶シャッターメガネ２００の左眼用液晶シャッター２６０Ｌの開閉状態および右眼用液晶シャッター２６０Ｒの開閉状態と、第２の液晶シャッターメガネ３００の左眼用液晶シャッター３６０Ｌの開閉状態および右眼用液晶シャッター３６０Ｒの開閉状態とを表している。なお、図４では、横軸は時間軸としている。
【００５７】
プロジェクター１００は、左眼用画像Ｌ１、右眼用画像Ｒ１、左眼用画像Ｌ２、右眼用画像Ｒ２、左眼用画像Ｌ３、右眼用画像Ｒ３、左眼用画像Ｌ４、という順番で、表示画像を表示する。
【００５８】
そして、プロジェクター１００は、左眼用画像Ｌ１，Ｌ２，Ｌ３，Ｌ４の表示開始後に、左眼用の液晶シャッター２６０Ｌ，３６０Ｌを開放させるためのシャッター開信号「Ｌ−ＯＰ」を、第１の液晶シャッターメガネ２００および第２の液晶シャッターメガネ３００に送信する。
【００５９】
さらに、プロジェクター１００は、左眼用画像Ｌ１，Ｌ２，Ｌ３，Ｌ４の表示終了前に、左眼用の液晶シャッター２６０Ｌ，３６０Ｌを閉塞させるためのシャッター閉信号「Ｌ−ＣＬ」を第１の液晶シャッターメガネ２００および第２の液晶シャッターメガネ３００に送信する。なお、プロジェクター１００は、第１の液晶シャッターメガネ２００および第２の液晶シャッターメガネ３００に対して、個別に制御信号を送信するものではない。つまり、プロジェクター１００の赤外線送信部５０が送信した制御信号を、第１の液晶シャッターメガネ２００の赤外線受信部２１０、および第２の液晶シャッターメガネ３００の赤外線受信部３１０が、それぞれ受信するものとする。
【００６０】
プロジェクター１００は、右眼用画像Ｒ１，Ｒ２，Ｒ３，Ｒ４の表示開始後に、右眼用の液晶シャッター２６０Ｒ，３６０Ｒを開放させるためのシャッター開信号「Ｒ−ＯＰ」を、第１の液晶シャッターメガネ２００および第２の液晶シャッターメガネ３００に送信する。
【００６１】
さらに、プロジェクター１００は、右眼用画像Ｒ１，Ｒ２，Ｒ３，Ｒ４の表示終了前に、右眼用の液晶シャッター２６０Ｒ，３６０Ｒを閉塞させるためのシャッター閉信号「Ｒ−ＣＬ」を第１の液晶シャッターメガネ２００および第２の液晶シャッターメガネ３００に送信する。
【００６２】
第１の液晶シャッターメガネ２００は、シャッター開信号「Ｌ−ＯＰ」を受信すると、左眼用液晶シャッター２６０Ｌを開放する。図４では、開放動作を波形の立ち上がりで表している。つまり、波形の「Ｌｏｗ」状態が液晶シャッターの閉塞を表し、「Ｈｉｇｈ」状態が液晶シャッターの開放を表している。また、第１の液晶シャッターメガネ２００は、シャッター閉信号「Ｌ−ＣＬ」を受信すると、左眼用液晶シャッター２６０Ｌを閉塞する。図４では、閉塞を波形の立ち下がりで表している。
【００６３】
第１の液晶シャッターメガネ２００は、シャッター開信号「Ｒ−ＯＰ」を受信すると、右眼用液晶シャッター２６０Ｒを開放する。図４では、開放を波形の立ち上がりで表している。また、第１の液晶シャッターメガネ２００は、シャッター閉信号「Ｒ−ＣＬ」を受信すると、右眼用液晶シャッター２６０Ｒを閉塞する。図４では、閉塞を波形の立ち下がりで表している。
【００６４】
第２の液晶シャッターメガネ３００は、シャッター開信号「Ｌ−ＯＰ」を受信すると、左眼用液晶シャッター３６０Ｌを開放する。また、第２の液晶シャッターメガネ３００は、シャッター閉信号「Ｌ−ＣＬ」を受信すると、左眼用液晶シャッター３６０Ｌを閉塞する。
【００６５】
第２の液晶シャッターメガネ３００は、シャッター開信号「Ｒ−ＯＰ」を受信すると、右眼用液晶シャッター３６０Ｒを開放する。また、第２の液晶シャッターメガネ３００は、シャッター閉信号「Ｒ−ＣＬ」を受信すると、右眼用液晶シャッター３６０Ｒを閉塞する。
【００６６】
上述したように、プロジェクター１００は、左眼用の画像の表示と右眼用の画像の表示とを切り替える。そして、プロジェクター１００は、制御信号を液晶シャッターメガネ（第１の液晶シャッターメガネ２００および第２の液晶シャッターメガネ３００）に送信する。第１の液晶シャッターメガネ２００および第２の液晶シャッターメガネ３００は、プロジェクター１００から送信される制御信号に基づいて、液晶シャッター２６０Ｌ，２６０Ｒ，３６０Ｌ，３６０Ｒの開閉を切り替える。これにより、プロジェクター１００と第１の液晶シャッターメガネ２００および第２の液晶シャッターメガネ３００とは、時分割で同期をとることが可能である。
【００６７】
次に、プロジェクター１００が表示する画像について説明する。
図５は、プロジェクター１００が表示する画像の説明図であり、（ａ）は、通常画像の説明図、（ｂ）は、ＯＳＤ画像を重畳した画像の説明図である。
【００６８】
図５（ａ）に示すように、通常画像として、風景画像Ｇ１が表示されている。また、図５（ｂ）には、風景画像Ｇ１と同様の画像に対して、ＯＳＤ処理部３３によってメニュー画像Ｍ１が重畳（付加表示）されている風景画像Ｇ２を示す。メニュー画像Ｍ１は、例えば、操作受付部２１に備わるメニューキーを押下することで表示される。
【００６９】
ここで、第１の液晶シャッターメガネ２００を装着しているメインユーザーにはメニュー画像Ｍ１を視認させて、第２の液晶シャッターメガネ３００を装着しているゲストユーザーにはメニュー画像Ｍ１を視認させないための処理について説明する。
【００７０】
まず、プロジェクター１００が、画像情報に基づく画像フレームを切り替える際に行う判断処理について説明する。
図６は、プロジェクター１００が画像フレームを切り替える際に行う判断処理のフローチャートである。
【００７１】
制御部２０は、画像情報判定部３１が判定した画像情報に基づき、左眼用または右眼用の画像フレームに、ＯＳＤ画像（メニュー画像Ｍ１）を重畳（付加表示）させるか否かを判断する（ステップＳ１０１）。ＯＳＤ画像を重畳させる場合には（ステップＳ１０１：ＹＥＳ）、制御部２０は、赤外線送信部５０に指示を出して、シャッター閉継続信号「ＣＬＣ」を送信させる（ステップＳ１０２）。このときの制御部２０が、制御信号伝達部に相当する。また、シャッター制御部にも相当する。そして、画像フレームを切り替える際の判断処理を終了する。
【００７２】
ＯＳＤ画像を重畳させない場合には（ステップＳ１０１：ＮＯ）、当該判断処理を終了する。なお、当該判断処理では、液晶シャッター閉継続信号「ＣＬＣ」の後で送信するシャッター開信号「Ｌ−ＯＰ」、シャッター開信号「Ｒ−ＯＰ」についての説明は省略する。
【００７３】
次に、第１の液晶シャッターメガネ２００および第２の液晶シャッターメガネ３００が、制御信号を受信した際に行う処理について説明する。第１の液晶シャッターメガネ２００および第２の液晶シャッターメガネ３００は、同様の構成となっており、同様な処理を行うためのプログラムが内蔵されている。
図７は、第１の液晶シャッターメガネ２００および第２の液晶シャッターメガネ３００の処理のフローチャートである。
【００７４】
赤外線受信部２１０（３１０）がプロジェクター１００から制御信号を受信すると、制御部２２０（３２０）は、受信した制御信号がシャッター開信号（「Ｌ−ＯＰ」または「Ｒ−ＯＰ」）か否かを判断する（ステップＳ２０１）。シャッター開信号であった場合（ステップＳ２０１：ＹＥＳ）、制御部２２０（３２０）は、ゲスト設定スイッチ２５０（３５０）がオンされているか否か、即ちゲスト状態か否かを判断する（ステップＳ２０２）。
【００７５】
ゲスト設定スイッチ２５０（３５０）がオンされていなければ（ステップＳ２０２：ＮＯ）、制御部２２０（３２０）は、シャッター駆動部２３０（３３０）に指示を出して、シャッター開信号が表す左眼用液晶シャッター２６０Ｌ（３６０Ｌ）、または右眼用液晶シャッター２６０Ｒ（３６０Ｒ）を開放させる（ステップＳ２０４）。そして、ステップＳ２０１に移行する。
【００７６】
ゲスト設定スイッチ２５０（３５０）がオンされていれば（ステップＳ２０２：ＹＥＳ）、制御部２２０（３２０）は、シャッター閉継続フラグ２４０（３４０）が立っているか否かを判断する（ステップＳ２０３）。シャッター閉継続フラグ２４０（３４０）が立っていなければ（ステップＳ２０３：ＮＯ）、ステップＳ２０４に移行して、液晶シャッターを開放させる。
【００７７】
シャッター閉継続フラグ２４０（３４０）が立っていれば（ステップＳ２０３：ＹＥＳ）、制御部２２０（３２０）は、シャッター閉継続フラグ２４０（３４０）をクリアする（ステップＳ２０５）。そして、ステップＳ２０１に移行する。
【００７８】
受信した制御信号がシャッター開信号でなければ（ステップＳ２０１：ＮＯ）、制御部２２０（３２０）は、受信した制御信号がシャッター閉信号か否かを判断する（ステップＳ２０６）。シャッター閉信号であった場合（ステップＳ２０６：ＹＥＳ）、制御部２２０（３２０）は、シャッター駆動部２３０（３３０）に指示を出して、シャッター開信号が表す左眼用液晶シャッター２６０Ｌ（３６０Ｌ）、または右眼用液晶シャッター２６０Ｒ（３６０Ｒ）を閉塞させる（ステップＳ２０７）。そして、ステップＳ２０１に移行する。
【００７９】
受信した制御信号がシャッター閉信号でなければ（ステップＳ２０６：ＮＯ）、制御部２２０（３２０）は、受信した制御信号がシャッター閉継続信号か否かを判断する（ステップＳ２０８）。シャッター閉継続信号であった場合（ステップＳ２０８：ＹＥＳ）、制御部２２０（３２０）は、ゲスト設定スイッチ２５０（３５０）がオンされているか否かを判断する（ステップＳ２０９）。
【００８０】
ゲスト設定スイッチ２５０（３５０）がオンされていれば（ステップＳ２０９：ＹＥＳ）、制御部２２０（３２０）は、シャッター閉継続フラグ２４０（３４０）を立てる（ステップＳ２１０）。そして、ステップＳ２０１に移行する。ゲスト設定スイッチ２５０（３５０）がオンされていなければ（ステップＳ２０９：ＮＯ）、ステップＳ２０１に移行する。また、受信した制御信号がシャッター閉継続信号でない場合（ステップＳ２０８：ＮＯ）、ステップＳ２０１に移行する。
【００８１】
上述したように、プロジェクター１００が液晶シャッター閉継続信号を送信すると、液晶シャッターメガネはシャッター閉継続フラグ２４０（３４０）を立てる。そして、液晶シャッターメガネは、シャッター開信号を受信した際に、ゲスト設定スイッチ２５０（３５０）がオンの状態で、且つシャッター閉継続フラグ２４０（３４０）が立っていれば、液晶シャッターを開放せずに、閉塞状態を継続する。
【００８２】
次に、プロジェクター１００が、ＯＳＤ画像を、連続した左眼用画像と右眼用画像とに表示させる第１のパターンの場合の画像表示システム１の動作を説明する。
図８は、第１のパターンでＯＳＤ画像を表示させる場合の画像表示システム１の動作を説明するためのタイミングチャートである。ここで、プロジェクター１００がＯＳＤ画像を重畳（付加表示）させる画像フレーム数は、プロジェクター１００が表示する画像フレーム数の半分未満の割合とする。また、第１の液晶シャッターメガネ２００のゲスト設定スイッチ２５０はオフ（メイン状態）になっており、第２の液晶シャッターメガネ３００のゲスト設定スイッチ３５０はオン（ゲスト状態）になっている。
【００８３】
図８のタイミングチャートに示すように、プロジェクター１００は、表示画像Ｌ２にＯＳＤ画像を重畳して表示させる。このとき、プロジェクター１００は、制御信号としてシャッター閉継続信号「ＣＬＣ」を送信する。さらに、シャッター開信号「Ｌ−ＯＰ」を送信する。
【００８４】
第１の液晶シャッターメガネ２００は、シャッター開信号「Ｌ−ＯＰ」を受信すると、左眼用液晶シャッター２６０Ｌを開放する。よって、第１の液晶シャッターメガネ２００を装着しているメインユーザーは、ＯＳＤ画像を視認することができる。
【００８５】
第２の液晶シャッターメガネ３００は、シャッター開信号「Ｌ−ＯＰ」を受信しても、ゲスト状態で且つシャッター閉継続信号「ＣＬＣ」を受信しているため、左眼用液晶シャッター３６０Ｌの閉塞を継続する。よって、第２の液晶シャッターメガネ３００を装着しているゲストユーザーは、ＯＳＤ画像を視認できない。
【００８６】
次に、プロジェクター１００は、表示画像Ｒ２にＯＳＤ画像を重畳して表示させる。このとき、プロジェクター１００は、シャッター閉継続信号「ＣＬＣ」を送信する。さらに、シャッター開信号「Ｒ−ＯＰ」を送信する。
【００８７】
第１の液晶シャッターメガネ２００は、シャッター開信号「Ｒ−ＯＰ」を受信すると、右眼用液晶シャッター２６０Ｒを開放する。よって、第１の液晶シャッターメガネ２００を装着しているメインユーザーは、ＯＳＤ画像を視認することができる。
【００８８】
第２の液晶シャッターメガネ３００は、シャッター開信号「Ｒ−ＯＰ」を受信しても、ゲスト状態で且つシャッター閉継続信号「ＣＬＣ」を受信しているため、右眼用液晶シャッター３６０Ｒの閉塞を継続する。よって、第２の液晶シャッターメガネ３００を装着しているゲストユーザーは、ＯＳＤ画像を視認できない。
【００８９】
次に、プロジェクター１００が、連続しない左眼用画像と右眼用画像とにＯＳＤ画像を表示させる第２のパターンの場合の画像表示システム１の動作を説明する。
図９は、第２のパターンでＯＳＤ画像を表示させる場合の画像表示システム１の動作を説明するためのタイミングチャートである。ここで、プロジェクター１００がＯＳＤ画像を重畳（付加表示）させる画像フレーム数は、プロジェクター１００が表示する画像フレーム数の半分未満の割合とする。また、第１の液晶シャッターメガネ２００のゲスト設定スイッチ２５０はオフ（メイン状態）になっており、第２の液晶シャッターメガネ３００のゲスト設定スイッチ３５０はオン（ゲスト状態）になっている。
【００９０】
図９のタイミングチャートでは、プロジェクター１００が表示画像Ｌ２にＯＳＤ画像を重畳して表示させる。このとき、プロジェクター１００は、シャッター閉継続信号「ＣＬＣ」を送信する。さらに、シャッター開信号「Ｌ−ＯＰ」を送信する。
【００９１】
第１の液晶シャッターメガネ２００は、シャッター開信号「Ｌ−ＯＰ」を受信すると、左眼用液晶シャッター２６０Ｌを開放する。よって、第１の液晶シャッターメガネ２００を装着しているメインユーザーは、ＯＳＤ画像を視認することができる。
【００９２】
第２の液晶シャッターメガネ３００は、シャッター開信号「Ｌ−ＯＰ」を受信しても、ゲスト状態で且つシャッター閉継続信号「ＣＬＣ」を受信しているため、左眼用液晶シャッター３６０Ｌの閉塞を継続する。よって、第２の液晶シャッターメガネ３００を装着しているゲストユーザーは、ＯＳＤ画像を視認できない。
【００９３】
次に、複数の画像フレーム（ここでは、表示画像Ｒ２，Ｌ３，Ｒ３，Ｌ４）を表示した後、プロジェクター１００は、表示画像Ｒ４にＯＳＤ画像を重畳して表示させる。このとき、プロジェクター１００は、シャッター閉継続信号「ＣＬＣ」を送信する。さらに、シャッター開信号「Ｒ−ＯＰ」を送信する。
【００９４】
第１の液晶シャッターメガネ２００は、シャッター開信号「Ｒ−ＯＰ」を受信すると、右眼用液晶シャッター２６０Ｒを開放する。よって、第１の液晶シャッターメガネ２００を装着しているメインユーザーは、ＯＳＤ画像を視認することができる。
【００９５】
第２の液晶シャッターメガネ３００は、シャッター開信号「Ｒ−ＯＰ」を受信しても、ゲスト状態で且つシャッター閉継続信号「ＣＬＣ」を受信しているため、右眼用液晶シャッター３６０Ｒの閉塞を継続する。よって、第２の液晶シャッターメガネ３００を装着しているゲストユーザーは、ＯＳＤ画像を視認できない。
【００９６】
特許請求の範囲に記載の「第１のシャッターメガネより第２のシャッターメガネのシャッターの光の透過率を低くさせる制御信号」には、実施形態のように一つの種類の制御信号の中に「シャッター閉継続信号「ＣＬＣ」」を含めて送信する場合も含む。すなわち、第１の液晶シャッターメガネ２００および第２の液晶シャッターメガネ３００には、同じ制御信号を送信するものの、メガネの設定に起因して、結果的に、第１の液晶シャッターメガネ２００より第２の液晶シャッターメガネ３００のシャッターの光の透過率を低くさせることが可能な信号（実施形態では、シャッター閉継続信号「ＣＬＣ」）も「第１のシャッターメガネより第２のシャッターメガネのシャッターの光の透過率を低くさせる制御信号」に含まれる。
【００９７】
上述した実施形態によれば、以下の効果が得られる。
（１）プロジェクター１００は、ＯＳＤ画像を付加表示する際に、シャッター閉継続信号「ＣＬＣ」を送信する。ゲスト設定スイッチ３５０がオン（ゲスト状態）になっている第２の液晶シャッターメガネ３００は、シャッター閉継続信号「ＣＬＣ」を受信すると、シャッター閉継続フラグ３４０を立てる。そして、プロジェクター１００からシャッター開信号「Ｌ−ＯＰ」または「Ｒ−ＯＰ」を受信すると、第２の液晶シャッターメガネ３００は、液晶シャッター３６０Ｌまたは３６０Ｒを閉塞した状態を継続するため、第２の液晶シャッターメガネ３００を装着しているゲストユーザーは、ＯＳＤ画像を視認できない。これにより、第１の液晶シャッターメガネ２００を装着しているメインユーザーには、ＯＳＤ画像を視認させ、第２の液晶シャッターメガネ３００を装着しているゲストユーザーには、ＯＳＤ画像を視認させないようにすることが可能となる。つまり、ＯＳＤ画像を視認する必要のないゲストユーザーには、ＯＳＤ画像を視認させないことが可能になる。
【００９８】
（２）プロジェクター１００は、ＯＳＤ画像を左眼用画像および右眼用画像の双方に表示させるため、第１の液晶シャッターメガネ２００を装着して付加画像を視認するメインユーザーは、右眼および左眼でＯＳＤ画像を視認することが可能となり、違和感が低減される。また、第２の液晶シャッターメガネ３００を装着して、ＯＳＤ画像が表示されている期間、画像を視認できないゲストユーザーに与える違和感も低減される。
【００９９】
（３）プロジェクター１００は、図８に示した第１のパターンでは、ＯＳＤ画像は左眼用画像と右眼用画像とに連続して表示される。これにより、第１の液晶シャッターメガネ２００を装着してＯＳＤ画像を視認するメインユーザーに与える違和感を低減することができる。
【０１００】
（４）プロジェクター１００は、図９に示した第２のパターンでは、左眼用画像でＯＳＤ画像を表示し、複数回数の画像フレームを表示した後、他方の画像（右眼用画像）でＯＳＤ画像を表示する。これにより、第２の液晶シャッターメガネ３００を装着して、ＯＳＤ画像が表示されている期間、画像を視認できないゲストユーザーに与える違和感を低減することができる。即ち、ゲストユーザーのフリッカーの認知を抑えることができる。
【０１０１】
（５）プロジェクター１００は、表示するフレーム数の半分未満の割合のフレーム数でＯＳＤ画像を付加表示する。これにより、第２の液晶シャッターメガネ３００を装着して、ＯＳＤ画像が表示されている期間、画像を視認できないゲストユーザーに与える違和感を低減することができる。即ち、ゲストユーザーのフリッカーの認知を抑えることができる。
【０１０２】
（６）プロジェクター１００が画像に重畳するＯＳＤ画像は、プロジェクター１００のメニュー画像Ｍ１である。これにより、第１の液晶シャッターメガネ２００を装着しているメインユーザーは、メニュー画像Ｍ１を視認し、第２の液晶シャッターメガネ３００を装着しているゲストユーザーは、メニュー画像Ｍ１を視認できないようにすることが可能となる。よって、メニュー画像Ｍ１を視認する必要のないゲストユーザーにとって、好適である。
【０１０３】
なお、上述した実施形態に限定されず、種々の変更や改良等を加えて実施することが可能である。変形例を以下に述べる。
【０１０４】
（変形例１）上記実施形態では、プロジェクター１００は、表示するフレーム数の半分未満の割合のフレーム数でＯＳＤ画像を表示するものとしたが、表示するフレーム数の１／６以下の割合のフレーム数でＯＳＤ画像を表示してもよい。こうすれば、フリッカーの影響を低減することができる。また、このとき発生するフリッカーは、ＮＴＳＣ信号とＰＡＬ信号の周波数の差分程度に納めることができるため、視覚的な影響が少ない。
【０１０５】
（変形例２）上記実施形態では、連続した左眼用画像と右眼用画像とにＯＳＤ画像を表示させる第１のパターンと、連続しない左眼用画像と右眼用画像とにＯＳＤ画像を表示させる第２のパターンについて説明したが、ＯＳＤ画像を分散的に左眼用画像および右眼用画像に表示させるものとしてもよい。
【０１０６】
（変形例３）上記実施形態では、左眼用および右眼用のシャッター開信号「Ｌ−ＯＰ」および「Ｒ−ＯＰ」の直前に、シャッター閉継続信号「ＣＬＣ」を送っているが、左眼用のシャッター開信号「Ｌ−ＯＰ」の直前にのみシャッター閉継続信号「ＣＬＣ」を送ってもよい。そして、第２の液晶シャッターメガネ３００は、シャッター閉継続信号「ＣＬＣ」を受信した後、シャッター開信号「Ｒ−ＯＰ」を受信した回数をカウントし、所定回数後のシャッター開信号「Ｒ−ＯＰ」を閉継続する対象とみなして、液晶シャッター３６０Ｒを開放しないものとする。プロジェクター１００は、シャッター閉継続信号「ＣＬＣ」を送った後の所定回数後のシャッター開信号「Ｒ−ＯＰ」のタイミングで、ＯＳＤ画像を含む右眼用の表示画像を表示する。このように画像表示システム１において、予め、所定回数を取り決めておけば、シャッター閉継続信号「ＣＬＣ」の送信手順を低減することができる。
【０１０７】
（変形例４）上記実施形態では、プロジェクター１００の赤外線送信部５０から、第１の液晶シャッターメガネ２００および第２の液晶シャッターメガネ３００の赤外線受信部２１０（３１０）に対して、赤外線の制御信号を送信する態様を示したが、制御信号は赤外線に限定されない。例えば、赤外線以外の光通信や無線通信用電波等を利用するようにしてもよい。
【０１０８】
（変形例５）上記実施形態では、プロジェクター１００から、第１の液晶シャッターメガネ２００および第２の液晶シャッターメガネ３００に対して、単方向に同一の制御信号を送信するものとしたが、双方向に信号を送受信できるものとしてもよい。さらに、プロジェクター１００は、第１の液晶シャッターメガネ２００および第２の液晶シャッターメガネ３００に対して、個別に制御信号を送信するものとしてもよい。例えば、液晶シャッターメガネ側から、ゲスト設定スイッチ２５０（３５０）の設定情報をプロジェクター１００に送信する。そして、プロジェクター１００は、ＯＳＤ画像を表示する画像フレームの際に、ゲスト設定スイッチ２５０（３５０）の設定情報に基づいて、第１の液晶シャッターメガネ２００にはシャッター開信号を送信し、第２の液晶シャッターメガネ３００にはシャッター開信号を送信しないという処理を行うことが可能となる。これにより、シャッター閉継続信号を送信する必要がなくなる。
【０１０９】
（変形例６）上記実施形態では、プロジェクター１００が画像に重畳するＯＳＤ画像はメニュー画像Ｍ１としたが、メニュー画像Ｍ１に限定するものではない。例えば、ＯＳＤ画像は、メッセージ画像としてもよい。
【０１１０】
（変形例７）上記実施形態では、画像投写部１０が表示する画像フレームは、先に左眼用画像、後に右眼用画像の順番としているが、これに限定するものではなく、逆の順番でもよい。
【０１１１】
（変形例８）上記実施形態では、付加画像（ＯＳＤ画像）は画像コンテンツ上に重畳して表示されているが、付加画像（ＯＳＤ画像）は、必ずしも画像コンテンツ上に重畳して表示される必要はなく、画像コンテンツと重ならないような位置に配置されてもよい。プロジェクター１００（画像表示装置）の表示エリア内に表示される視聴すべき本来の画像コンテンツ以外の表示であれば何でもよい。
【０１１２】
（変形例９）上記実施形態では、３Ｄの画像情報の入力に対応したプロジェクター１００を例にして説明しているが、２Ｄの画像情報が入力されたときに、プロジェクター内部で、３Ｄの画像情報に変換することが可能なプロジェクターに適用することも可能である。
【０１１３】
（変形例１０）上記実施形態では、画像表示装置としてプロジェクター１００を例にして説明しているが、画像表示装置はプロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ、テレビ受信機等に適用することも可能である。
【０１１４】
（変形例１１）上記実施形態では、光源装置１１は、放電型の光源ランプ１１ａを有して構成されているが、ＬＥＤ（Light Emitting Diode）光源やレーザー等の固体光源や、その他の光源を用いることもできる。
【０１１５】
（変形例１２）上記実施形態では、プロジェクター１００は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【０１１６】
１…画像表示システム、５…筐体、５ｂ…背面、５ｔ…天面、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作受付部、３０…画像情報入力部、３１…画像情報判定部、３２…画像処理部、３３…ＯＳＤ処理部、５０…赤外線送信部、１００…プロジェクター、２００…第１の液晶シャッターメガネ、２１０…赤外線受信部、２２０…制御部、２３０…シャッター駆動部、２４０…シャッター閉継続フラグ、２５０…ゲスト設定スイッチ、２６０Ｌ…左眼用液晶シャッター、２６０Ｒ…右眼用液晶シャッター、３００…第２の液晶シャッターメガネ、３１０…赤外線受信部、３４０…シャッター閉継続フラグ、３５０…ゲスト設定スイッチ、３６０Ｌ…左眼用液晶シャッター、３６０Ｒ…右眼用液晶シャッター。
【図１】
2013239945.tif 000003
【図２】
2013239945.tif 000004
【図３】
2013239945.tif 000005
【図４】
2013239945.tif 000006
【図５】
2013239945.tif 000007
【図６】
2013239945.tif 000008
【図７】
2013239945.tif 000009
【図８】
2013239945.tif 000010
【図９】
2013239945.tif 000011